(57)【要約】【課題】ヘッドを大型化する場合であっても、ヘッドの重心位置の設定を比較的自由に行うことができ、しかも、ゴルフボールを打撃したときに、良好な打球感、打球音が得られるゴルフクラブヘッドを提供する。【解決手段】ホーゼル１２が一体成形された本体部１４と、本体部１４の底面に接合されるソール部１６と、本体部１４の内周面に接合される内壁部材１８とからなり、本体部１４を金属材料で形成し、内壁部材１８を本体部１４の金属材料よりも比重が小さい樹脂材料で形成する。【選択図】図２
2006230573.tif 000002
【特許請求の範囲】
【請求項１】
内部が中空状に構成されるゴルフクラブヘッドにおいて、
フェース部と、クラウン部の少なくとも前記フェース部側の部位と、サイド部の少なくとも前記フェース部側の部位とが金属材料により形成される外壁部材と、
前記外壁部材の内面に接合され、前記金属材料よりも比重が小さい樹脂材料により形成される内壁部材と、
から構成されることを特徴とするゴルフクラブヘッド。
【請求項２】
請求項１記載のゴルフクラブヘッドにおいて、
前記外壁部材は、前記フェース部、前記クラウン部及び前記サイド部が一体に形成され、底面に開口部が形成された本体部と、前記開口部に接合される金属材料から形成されるソール部とから構成され、
前記内壁部材は、前記外壁部材の少なくとも前記フェース部、前記クラウン部及び前記サイド部の内面に接合される繊維強化樹脂材料から形成されることを特徴とするゴルフクラブヘッド。
【請求項３】
請求項２記載のゴルフクラブヘッドにおいて、
前記フェース部を構成する前記外壁部材の平均肉厚が０．７ｍｍ以上、２．０ｍｍ以下、
前記フェース部を構成する前記内壁部材の平均肉厚が０．５ｍｍ以上、５．０ｍｍ以下、
前記クラウン部及び前記サイド部を構成する前記外壁部材の平均肉厚が０．１５ｍｍ以上、０．５ｍｍ以下、
前記クラウン部及び前記サイド部を構成する前記内壁部材の平均肉厚が０．１ｍｍ以上、３．０ｍｍ以下、
に設定されることを特徴とするゴルフクラブヘッド。
【請求項４】
請求項２記載のゴルフクラブヘッドにおいて、
前記内壁部材は、前記外壁部材の内面に加熱、加圧され、接着剤で接合される繊維強化樹脂プリプレグ材から形成されることを特徴とするゴルフクラブヘッド。
【発明の詳細な説明】
【技術分野】
【０００１】
本発明は、内部を中空状に形成したゴルフクラブヘッド、特に、ウッド型のゴルフクラブヘッドに関する。
【背景技術】
【０００２】
例えば、ウッド型のゴルフクラブヘッドでは、ボールの打ち出し角度を大きくして飛距離を増大させるために、ヘッドの重心を適正な高さに設定する必要がある。一方、最近では、スイートエリアを拡大して打球の方向性を安定させるため、ヘッドを大型に構成したものが作成されている。
【０００３】
この場合、ヘッドの大型化に伴う重量の増大を抑えるため、ヘッドの肉厚を最小限まで薄く形成しており、重心位置を調整するためにウエイト部材を取り付けることや、ヘッドの肉厚設計を変更することが困難となっている。そこで、ヘッドの一部分を金属材料よりも比重の小さい材料で構成したものが提案されている。
【０００４】
例えば、特許文献１、２では、フェース部及びその近傍を金属材料（例えば、チタン合金、ステンレス鋼、マルエージング鋼等）で形成し、残りの部分を金属材料よりも比重が小さい複合材料、繊維強化樹脂材料等で形成している。この場合、比重が小さい材料を用いることにより軽くできる分、その重量をヘッドの重心位置の調整に使用することができる。
【０００５】
また、特許文献３では、金属材料（チタン合金、鉄合金、アルミニウム合金等）から成形したヘッド本体部におけるクラウン部の中央部分に孔部を形成し、この孔部にヘッド本体部よりも比重が小さい材料からなるカバー部材を装着するとともに、フェース部の内面を繊維強化プラスチック材で補強している。このように構成することにより、フェース部の金属からなる部分の肉厚を薄く形成し、ヘッドの重心深度を大きくしてスイートエリアを拡大することが可能になる。
【０００６】
【特許文献１】特開２００３−６２１３０号公報
【特許文献２】特開２００３−１４４５９０号公報
【特許文献３】特開２００３−２５０９３３号公報
【発明の開示】
【発明が解決しようとする課題】
【０００７】
しかしながら、特許文献１、２では、ヘッドの耐久性を維持するため、フェース部及びその近傍を構成する部分と、残りの部分との接合強度を十分に確保しなければならないが、例えば、金属材料と繊維強化樹脂材料とを強固に連結することは、材料の特性上、極めて困難である。
【０００８】
また、特許文献３では、軽量化を目的として、クラウン部の中央部分に軽量なカバー部材を装着しているが、ヘッドの外見を良好なものとするため、カバー部材の縁部を研磨加工する等、極めて煩雑な工程が必要となる。
【０００９】
本発明は、上記の課題に鑑みてなされたものであり、ヘッドを大型化する場合であっても、ヘッドの重心位置の設定を自由に行うことができ、しかも、ゴルフボールを打撃したときに、良好な打球感、打球音が得られるゴルフクラブヘッドを提供することを目的とする。
【課題を解決するための手段】
【００１０】
本発明は、内部が中空状に構成されるゴルフクラブヘッドにおいて、
フェース部と、クラウン部の少なくとも前記フェース部側の部位と、サイド部の少なくとも前記フェース部側の部位とが金属材料により形成される外壁部材と、
前記外壁部材の内面に接合され、前記金属材料よりも比重が小さい樹脂材料により形成される内壁部材と、
から構成されることを特徴とする。
【００１１】
このように構成することにより、フェース部の外壁部材と、クラウン部の少なくともフェース部側の部位の外壁部材と、サイド部の少なくともフェース部側の部位の外壁部材とが、軽量材料からなる内壁部材によって補強されるので、比重が大きい金属材料からなる外壁部材の肉厚を薄く形成することが可能になり、ゴルフクラブヘッドの軽量化及び重心位置の調整が容易となる。
【００１２】
また、本発明は、前記外壁部材が、前記フェース部、前記クラウン部及び前記サイド部が一体に形成され、底面に開口部が形成された本体部と、前記開口部に接合される金属材料から形成されるソール部とから構成され、
前記内壁部材が、前記外壁部材の少なくとも前記フェース部、前記クラウン部及び前記サイド部の内面に接合される繊維強化樹脂材料から形成されることを特徴とする。
【００１３】
繊維強化樹脂材料からなる内壁部材は、外壁部材で覆われるので、後加工工程を必要としないで形成することができる。ソール部は、金属材料から形成し、クラウン部及びサイド部よりも重量化して重心位置を容易に低く設定することができる。
【００１４】
また、本発明は、前記フェース部を構成する前記外壁部材の平均肉厚が０．７ｍｍ以上、２．０ｍｍ以下、
前記フェース部を構成する前記内壁部材の平均肉厚が０．５ｍｍ以上、５．０ｍｍ以下、
前記クラウン部及び前記サイド部を構成する前記外壁部材の平均肉厚が０．１５ｍｍ以上、０．５ｍｍ以下、
前記クラウン部及び前記サイド部を構成する前記内壁部材の平均肉厚が０．１ｍｍ以上、３．０ｍｍ以下、
に設定されることを特徴とする。
【００１５】
フェース部の外壁部材の平均肉厚が２．０ｍｍを超えると、重量の余裕を十分に確保しにくくなる。クラウン部及びサイド部の外壁部材の平均肉厚が０．５ｍｍを超える場合も同様である。また、フェース部の内壁部材の平均肉厚が５．０ｍｍを超えると、良好な打球感、打球音を得にくくなる。クラウン部及びサイド部の内壁部材の平均肉厚が３．０ｍｍを超える場合も同様である。
【００１６】
フェース部、クラウン部及びサイド部の外壁部材と内壁部材のより好ましい平均肉厚としては、フェース部の外壁部材の平均肉厚が０．８〜１．８ｍｍ、フェース部の内壁部材の平均肉厚が０．６〜３．５ｍｍ、且つ、クラウン部及びサイド部の外壁部の平均肉厚が０．２〜０．４ｍｍ、クラウン部及びサイド部の内壁部の平均肉厚が０．２〜２．５ｍｍである。さらに、外壁部と内壁部とを合わせたフェース部の平均肉厚としては、１．５ｍｍ以上に設定されるのが好ましく、外壁部と内壁部とを合わせたクラウン部及びサイド部の平均肉厚としては、０．５ｍｍ以上に設定されるのが好ましい。
【００１７】
さらに、本発明では、繊維強化樹脂材料からなる内壁部材は、金属材料からなる外壁部材の内面に接着剤を塗布し、繊維強化樹脂プリプレグ材を装着して加熱するとともに、例えば、中空部に挿入したエアバッグを膨らませて加圧することにより、繊維強化樹脂プリプレグ材を硬化させると同時に外壁部材の内面に圧着させて設けることができる。
【００１８】
本体部の底面に形成された開口部は、この開口部に接合されるソール部の周囲部を構成する部分を残して形成することができる。外壁部材の内面に内壁部材を配設するのと同時に、開口部の縁部にソール部を接着剤で接合することにより、本体部の開口部を閉塞することができる。このような本体部とソール部との接合方法では、接合が特に難しくなく、しかも、十分な接合強度を得ることができる。
【発明の効果】
【００１９】
本発明のゴルフクラブヘッドによれば、金属材料からなる外壁部材が軽量な樹脂材料によって補強されるため、ゴルフクラブヘッドを大型に構成した場合であっても、十分な強度を維持した状態で軽量化することができるとともに、重心位置を適切且つ容易に調整することができる。
【発明を実施するための最良の形態】
【００２０】
図１は、本実施形態のゴルフクラブヘッド１０の分解斜視構成図、図２は、ゴルフクラブヘッド１０の断面構成図である。ゴルフクラブヘッド１０は、ホーゼル１２が一体成形された本体部１４と、本体部１４の底面に接合されるソール部１６と、本体部１４の内周面に接合される内壁部材１８とから基本的に構成される。本体部１４及びソール部１６は、ゴルフクラブヘッド１０の外壁部材を構成する。
【００２１】
本体部１４は、内部中空部２０を有し、打球面であるフェース部２２と、クラウン部２４と、サイド部２６と、ソール部１６が接合されることで閉塞される開口部２８とを備える。本体部１４及びソール部１６は、ステンレス鋼、マルエージング鋼、高抗張力鋼、チタン合金等の金属材料から形成される。
【００２２】
内壁部材１８は、繊維強化樹脂材料から形成される。繊維強化樹脂材料は、強化繊維として、炭素繊維、ガラス繊維、アラミド繊維等を用い、樹脂として、エポキシ樹脂、ビニルエステル樹脂等の熱硬化性樹脂、ポリアミド樹脂、ポリエーテルケトン樹脂、ポリフェニレンサルファイド樹脂、ポリイミド樹脂、ポリアミドイミド樹脂等の熱可塑性樹脂を用いたものが例示される。本実施形態では、内壁部材１８を繊維強化樹脂材料から形成しているが、強化繊維を用いないで樹脂のみから形成してもよい。
【００２３】
本体部１４は、例えば、鋳造成形した後に研磨を施すことにより製造することができるが、肉厚を極めて薄く形成する必要があり、通常の方法では高精度に研磨し難いので、化学研磨を施すようにするのが望ましい。フェース部２２の平均肉厚は、０．７ｍｍ以上、２．０ｍｍ以下に形成し、好ましくは０．８〜１．８ｍｍである。クラウン部２４及びサイド部２６の平均肉厚は、０．１５ｍｍ以上、０．５ｍｍ以下に形成し、好ましくは０．２〜０．４ｍｍである。なお、肉厚については、平均肉厚としているが、均一であってもよいし、部分的に変化させてもよい。
【００２４】
内壁部材１８は、例えば、炭素繊維とエポキシ樹脂を用いたシート状のプリプレグ材を開口部２８から挿入し、予め接着剤を塗布した本体部１４の内面に装着した後、内部中空部２０に挿入したエアバッグに空気を導入し、加圧した状態で加熱硬化させることにより、圧着成形することができる。フェース部２２側の内壁部材１８の平均肉厚は、０．５ｍｍ以上、５．０ｍｍ以下に形成し、好ましくは０．６〜３．５ｍｍである。クラウン部２４及びサイド部２６側の内壁部材１８の平均肉厚は０．１ｍｍ以上、３．０ｍｍ以下に形成し、好ましくは０．２〜２．５ｍｍである。フェース部２２側の内壁部材１８と、クラウン部２４及びサイド部２６側の内壁部材１８とは、同一の肉厚であってもよいし、異なる肉厚であってもよい。異なる肉厚にする場合には、例えば、部位に応じて内壁部材１８を構成するプリプレグ材の積層数を異ならせればよい。また、フェース部２２側の内壁部材１８と、クラウン部２４及びサイド部２６側の内壁部材１８とは、種類又は構成の異なる繊維強化樹脂材料から形成されてもよい。
【００２５】
ソール部１６は、ステンレス鋼、マルエージング鋼、高抗張力鋼、チタン合金等の金属材から鋳造、鍛造、プレス成形等の方法により製造することができる。ソール部１６を構成する金属材料は、本体部１４を構成する金属材料と同種であってもよいし、異種であってもよい。
【００２６】
上記した本体部１４及びソール部１６を、内壁部材１８を成形するのと同時に互いに接合してゴルフクラブヘッド１０を製造することができる。本体部１４及びソール部１６の接合は、金属材料同士の接合であるので、レーザ溶接等により接合することもできる。
【実施例１】
【００２７】
実施例として、本体部１４及びソール部１６に高抗張力鋼を使用し、内壁部材１８に炭素繊維強化樹脂を使用したドライバー用のゴルフクラブヘッド１０を作製した。このゴルフクラブヘッド１０は、体積４００ｍｌ、重量１９５ｇであり、フェース部２２を構成する本体部１４の平均肉厚は１．０ｍｍ、クラウン部２４及びサイド部２６を構成する本体部１４の平均肉厚は０．２５ｍｍに形成している。フェース部２２、クラウン部２４及びサイド部２６における内壁部材１８の平均肉厚は０．７ｍｍ、ソール部１６を構成する本体部１４の平均肉厚は１．０ｍｍに形成している。また、このゴルフクラブヘッド１０は、重心高さ３４．３ｍｍ、重心深度３４．５ｍｍであった。
【００２８】
比較例として、内壁部材１８を形成することなく、高抗張力鋼から体積４００ｍｌのゴルフクラブヘッドを作製した。この比較例のゴルフクラブヘッドは、フェース部２２の平均肉厚２．２ｍｍ、クラウン部２４及びサイド部２６の平均肉厚０．５ｍｍ、ソール部１６の平均肉厚１．０ｍｍ、重量２２６ｇであった。また、比較例のゴルフクラブヘッドは、重心高さ３５．４ｍｍ、重心深度２９．９ｍｍであった。
【００２９】
実施例のゴルフクラブヘッド１０は、比較例のゴルフクラブヘッドに比して、重量を４１ｇも軽減でき、また、重心高さを１．１ｍｍ低く、重心深度を４．６ｍｍ深くできる結果が得られた。
【図面の簡単な説明】
【００３０】
【図１】本実施形態のゴルフクラブヘッドの分解斜視構成図である。
【図２】本実施形態のゴルフクラブヘッドの断面構成図である。
【符号の説明】
【００３１】
１０…ゴルフクラブヘッド  １４…本体部
１６…ソール部            １８…内壁部材
２０…内部中空部          ２２…フェース部
２４…クラウン部          ２６…サイド部
２８…開口部
【図１】
2006230573.tif 000003
【図２】
2006230573.tif 000004